(57)【要約】【課題】原稿の読取面側が接触して原稿を案内する透明な案内部材に傷や汚物が付くことを防止するとともに、透明フィルム部材による静電気の発生をなくし、画像の低下や搬送不良のない画像読取装置を提供することを目的とするものである。【解決手段】読取部の読取経路を、原稿を案内するバックアップガイド４５と、読取手段とバックアップガイド４５との間に配置された透明フィルム部材５０と、で構成し、透明フィルム部材５０の搬入ローラ対２８から読取位置Ｘに至る区間と読取位置Ｘから搬出ローラ対２５からに至る区間の少なくとも一方の区間に原稿搬送方向に延びる凸部５２、５３を形成した。【選択図】　図２
2004099306.tif 000002
【特許請求の範囲】
【請求項１】
原稿を読み取るための読取位置を有する読取部と、この読取部の上流側に設けられて原稿を該読取部に搬入させる第１の搬送手段と、前記読取部の下流側に設けられて原稿を該読取部から搬出させる第２の搬送手段と、前記第１の搬送手段から前記第２の搬送手段に至る湾曲した読取経路と、を備えた自動原稿送り装置において、
前記読取経路を、原稿を案内するガイド部材と、前記読取手段と前記ガイド部材との間に配置された透明な案内部材と、で構成し、
前記第１の搬送手段から前記読取位置に至る前記案内部材の原稿案内面の少なくとも１部に搬送方向に凸部を形成し、該凸部に原稿を摺接させて案内させることを特徴とする自動原稿送り装置。
【請求項２】
原稿を読み取るための読取位置を有する読取部と、この読取部の上流側に設けられて原稿を該読取部に搬入させる第１の搬送手段と、前記読取部の下流側に設けられて原稿を該読取部から搬出させる第２の搬送手段と、前記第１の搬送手段から前記第２の搬送手段に至る湾曲した読取経路と、を備えた自動原稿送り装置において、
前記読取経路を、原稿を案内するガイド部材と、前記読取手段と前記ガイド部材との間に配置された透明な案内部材と、で構成し、
前記読取位置から前記第２の搬送手段に至る前記案内部材の原稿案内面の少なくとも１部に凸部を形成し、該凸部に原稿を摺接させて案内させることを特徴とする自動原稿送り装置。
【請求項３】
原稿を読み取るための読取位置を有する読取部と、この読取部の上流側に設けられて原稿を該読取部に搬入させる第１の搬送手段と、前記読取部の下流側に設けられて原稿を該読取部から搬出させる第２の搬送手段と、前記第１の搬送手段から前記第２の搬送手段に至る湾曲した読取経路と、を備えた自動原稿送り装置において、
前記読取経路を、原稿を案内するガイド部材と、前記読取手段と前記ガイド部材との間に配置された透明な案内部材と、で構成し、
前記第１の搬送手段から前記読取位置に至る前記案内部材の原稿案内面の少なくとも１部と前記読取位置から前記第２の搬送手段に至る前記案内部材の原稿案内面の少なくとも１部とに凸部を形成し、該凸部に原稿を摺接させて案内させることを特徴とする自動原稿送り装置。
【請求項４】
前記案内部材は、前記読取位置に臨む原稿案内面に原稿の搬送方向と直交する方向に延びる平面部が形成されたことを特徴とする請求項１〜３のいずれか１つに記載の自動原稿送り装置。
【請求項５】
前記原稿案内面の前記凸部を、原稿の搬送方向と直交する方向に間隔を隔てて複数形成したことを特徴とする請求項１〜４のいずれか１つに記載の自動原稿送り装置。
【請求項６】
前記原稿案内面の前記凸部を、原稿搬送方向に向かって延設したことを特徴とする請求項５に記載の自動原稿送り装置。
【請求項７】
前記ガイド部材は、前記搬送手段にて搬送される原稿を前記案内部材の平面部に押圧するように可動自在に設けられたことを特徴とする請求項４に記載の自動原稿送り装置。
【請求項８】
前記案内部材は、前記読取手段側に湾曲した前記読取経路を形成するシート状のフィルム部材であることを特徴とする請求項１〜７のいずれか１つに記載の自動原稿送り装置。
【請求項９】
前記案内部材の原稿案内面側に耐スクラッチコーティングを施したことを特徴とする請求項１〜８のいずれか１つに記載の自動原稿送り装置。
【請求項１０】
請求項１〜３のいずれか１つに記載の自動原稿送り装置と、前記読取経路を搬送される原稿を前記読取位置で読み取る読取手段と、を備えた画像読取装置。
【発明の詳細な説明】
【０００１】
【発明の属する技術分野】
本発明は、画像読取装置等に備えられた自動原稿送り装置に関し、詳しくは読み取られる原稿を搬送するための透明なシート状部材を備えた原稿搬送機構に関する。
【０００２】
【従来の技術】
従来、画像読取装置には、ベルトやローラで搬送した原稿をプラテンガラス上に静止させて読取光学系を走査させて画像を読み取るようにしたもの、いわゆる原稿固定読取方式と、移動する原稿を静止させた読取光学系で原稿画像を読み取るようにしたもの、いわゆるシートスルー読取方式の二種のタイプが一般的に知られている。
【０００３】
そして、シートスルー読取方式に適用される自動原稿送り装置には原稿を読み取るためのプラテンガラスの上方に透明フィルム部材を設け、この透明フィルム部材に沿って原稿を搬送するものがある（例えば、特許文献１参照。）。
【０００４】
この透明フィルム部材は、パックアップガイドとプラテンガラスの間に配置され、バックアップガイドとの間に湾曲した読取経路を形成する。そして、プラテンガラスの下方に配置された光学系の読取手段は、プラテンガラスと透明フィルム部材を介して原稿画像を読み取るように構成されている。
【０００５】
【特許文献１】
特開昭６３−１８０６５０号公報
【０００６】
【発明が解決しようとする課題】
このような透明フィルム部材は、一般的にポリエチレンテレフタレートシート（マイラー）等の可撓性部材からなり、原稿面が透明フィルム部材の案内面に摺接することによって静電気が発生し易く、この静電気により原稿が透明フィルム部材に吸着してしまうため原稿の搬送速度が微妙に変化し、読取画像に歪みが生じるとの問題が生じる。さらに、この静電気が大量に発生すると搬送不良が生じていた。
【０００７】
それに加えて、透明フィルム部材は数百枚程度の原稿を通紙すると、原稿との摩擦の影響により原稿搬送面側の透明フィルム部材表面に傷が生じる。これによって、紙紛やトナー等の汚物が発生し易くなり、読取画像に黒すじ等の不具合が生じる。また、原稿案内面の表面粗さの悪化による搬送不良等の様々な問題が生じていた。
【０００８】
さらには、透明フィルム部材は薄いシート状で構成されているために折れや変形し易く、その取り扱いが容易でなく、また安定した原稿搬送経路を形成できないものであった。
【０００９】
本発明は上記の様々な問題に鑑み、透明フィルム部材の案内面に傷や汚物等が付くことを防止するとともに、透明フィルム部材による静電気の発生をなくし、画像の低下や搬送不良のない画像読取装置を提供することを目的とするものである。
【００１０】
【課題を解決するための手段】
本発明は上記目的を達成するために、第１の搬送手段から第２の搬送手段に至る湾曲した読取経路を、原稿を案内するガイド部材と、前記読取手段と前記ガイド部材との間に配置された透明な案内部材と、で構成し、第１の搬送手段から読取位置に至る案内部材の原稿案内面の少なくとも１部に原稿搬送方向に延びる凸部を形成した。
【００１１】
これによって、原稿と原稿案内面との摺接する面積が小さくなり、搬送負荷が低減するとともに、静電気の発生が抑えられる。さらに、摺接する面積が小さいため、原稿の紙紛や印字トナー等の汚物の発生を抑えることができる。また、複数の凸部を形成することで、透明フィルム部材の強度が増し、折れや変形をなくすことができる。
【００１２】
【発明の実施の形態】
図１は本発明に係る画像読取装置１に搭載された自動原稿送り装置２を示す図であり、この図１に基づき本発明に係る画像読取装置１及び画像読取装置１に備えられた自動原稿送り装置２の全体の構成について説明する。
【００１３】
図１に示すように、画像読取装置１本体は、プラテンガラス４を介してランプ等の光源５からの光を搬送される原稿に照射し、その反射光を複数のミラー６で反射させてレンズ７を介してＣＣＤなどの読取素子８により光電変換して原稿画像を読み取る。ここで、画像読取装置１は、プラテンガラス４に載置されたブック物等の厚い原稿を光源５やミラー６などからなる光源ユニットを副走査方向に移動させることによってプラテンガラス４を介して原稿の画像を読み取るモードと、自動原稿送り装置でプラテンガラス４の上方を搬送される原稿を所定の読取位置で光源ユニットを停止させて読み取るモードとを備えている。
【００１４】
自動原稿送り装置では、複数枚の原稿を載置可能な給紙トレイ１０と、読み取られた原稿を収納する排紙トレイ１１と、プラテンガラス４を押圧するためにスポンジ等の多孔質部材と白色マイラー等のフィルム部材で構成された押圧カバー１２を備えている。
【００１５】
給紙部は、給紙トレイ１０上に載置された原稿の最上位原稿に接触して繰り出す昇降自在な繰り出しローラ２１、繰り出しローラ２１で繰り出された原稿を給送する給紙ローラ２２と最上位原稿の１枚のみを通過して２枚目以降の原稿の給送を阻止する分離部材２３からなる分離手段、この分離手段で１枚に分離され給送される原稿の先端を突き当てて整合した後に下流側に送るレジストローラ対２４が配置されている。
【００１６】
これらの繰り出しローラ２１、給紙ローラ２２、レジストローラ対２４は、給紙モータ（図示せず）に駆動連結されており、給紙モータの正方向の回転駆動によって繰り出しローラ２１、給紙ローラ２２が回転し、給紙モータの逆方向の回転駆動によってレジストローラ対２４が回転するように構成されており、繰り出しローラ２１、給紙ローラ２２、レジストローラ対２４の回転によって、給紙トレイ１０上の原稿は給紙経路３０に沿って案内される。
【００１７】
搬送部は、読取位置Ｘに原稿を搬送する搬入ローラ対２８（第１の搬送手段）、この搬入ローラ対２８からの原稿を読取位置Ｘに向けて案内する搬入ガイド１５、読取位置Ｘに読み取られた原稿を搬出する搬出ローラ対２５（第２の搬送手段）、読取位置Ｘからの原稿を搬出ローラ対２５に案内するための搬出ガイド１６、搬入ガイド１５と搬出ガイド１６との間に掛け渡され前記プラテンガラス側に湾曲した原稿読取経路を形成する透明フィルム部材５０（案内部材）、読取位置Ｘと搬入ローラ対２８との間に設けられて透明フィルム部材５０に接触するプラテンローラ２７、プラテンローラ２７の下流に配置されて透明フィルム部材５０に接触する白色のバックアップガイド４５（ガイド部材）で構成されている。
【００１８】
また、搬入ローラ対２８、搬出ローラ対２５、プラテンローラ２７の各ローラは、搬送モータによってそれぞれ一方向にのみ回転される。
【００１９】
排紙部には、搬出ローラ対２５からの原稿を排紙経路３１に沿って排紙トレイ１１に排紙する排紙ローラ対２６が配置されている。この排紙ローラ対２６は前述した搬送モータに駆動連結されており、片面モードの際には一方向に回転して排紙トレイ１１に原稿を排紙し、両面モードの際には原稿の後端部をニップした状態で逆回転して原稿をスイッチバックして循環経路３２を介して搬送経路（読取経路）３５に再送するように制御される。
【００２０】
また、排紙経路３１には送られる原稿の先端によって上方に可動して原稿を通過させ、原稿の後端が通過すると下方に可動する自重フラッパ４１が設けられており、この自重フラッパ４１は排紙ローラ２６が逆転してスイッチバックされた原稿を支障なく循環経路３２に案内する。このフラッパ４１は、常時付勢バネで下方に付勢されており、原稿が排紙経路３１に沿って排紙ローラ対２６に送られる際には排紙される原稿の先端により上方に押し上がり原稿の通過を許容し、排紙ローラ対２６にて原稿をスイッチバックする際には下方に位置して排紙経路３１を塞ぎ、循環経路３２に原稿を案内するように構成されている。
【００２１】
給紙トレイ１０の原稿給紙方向下流側には、給紙トレイ１０上に原稿が載置されたことを検出するエンプティセンサＳ１が設けられ、給紙経路３０には給紙される原稿の端部を検知するレジストセンサＳ２が設けられている。さらに、読取部の手前にはリードセンサＳ３、排紙ローラ対２６の手前には排出センサＳ４がそれぞれ設けられており、これらのセンサは送られる原稿の端部を検知する。
【００２２】
上記の各センサＳ１〜Ｓ４は、原稿の搬送を制御するためのＣＰＵ等を含む制御手段に接続されており、各センサからの検知信号に基づいて、上述した給紙モータ、搬送モータが制御され、原稿の給紙、搬送、排紙の各動作が実行される。
【００２３】
図２は搬送部に設けられた読取部２０を示す断面図、図３は透明フィルム部材５０と搬入ガイド１５、搬出ガイド１６の構成を示す斜視図、図４（ａ）は透明フィルム部材５０の平面図、図４（ｂ）は透明フィルム部材５０のＡ断面図、図５は透明フィルム部材５０に張力を付与するための張力付与機構を示す図である。
【００２４】
この図２〜図５に基づき読取部２０の構成について詳細に説明する。
【００２５】
図２に示すように搬送部に設けられた読取部２０は、上述した搬入ガイド１５、搬出ガイド１６、透明フィルム部材５０、プラテンローラ２７、バックアップガイド４５を有している。
【００２６】
そして、搬入ガイド１５、搬出ガイド１６、透明フィルム部材５０及び後述する張力付与部材５５は、図３に示すように一体の読取ガイドユニット６０を構成しており、この読取ガイドユニット６０は装置フレームに対して着脱可能に取り付けられる。
【００２７】
搬入ガイド１５と搬出ガイド１６は、一体に樹脂形成されて読取ガイドユニット６０の骨格をなし、このその中央部に原稿を読み取るための開口が形成されている。一体に樹脂形成された搬入ガイド１５と搬出ガイド１６には透明フィルム部材５０と張力付与部材５５が取り付けられている。
【００２８】
さらに、搬入ガイド１５と搬出ガイド１６には、透明フィルム部材５０とプラテンガラス４との間に配置された白色フィルム部材４６、４７が取り付けられている。この白色フィルム部材４６、４７は読取位置Ｘの原稿搬送方向前後に設けられており、プラテンガラス４に手置きされた薄紙原稿が光源５の光を透過しても良好な画像を得ることができる。
【００２９】
透明フィルム部材５０は、図３及び図４（ａ）に示すようにプラテンローラ２７とバックアップガイド４５が当接する読取位置Ｘの周辺部分に平面部５１が形成されており、その平面部５１の上流側の部分には原稿搬送方向に延びた凸部５２が形成されている。さらに、平面部５１の下流側の部分には原稿搬送方向に延びた凸部５３が形成されている。
【００３０】
平面形成された平面部５１の原稿搬送方向前後に形成された凸部５２、５３は、原稿搬送方向に直交する原稿幅方向に所定の間隔を隔てて複数形成されており、搬入ローラ対２８にて読取位置Ｘに搬送される原稿は複数の凸部５２に摺接しながら案内され、また読取位置Ｘを通過した原稿は下流側の複数の凸部５３に摺接しながら搬出ローラ対２５に案内される。本実施例では、凸部５２、５３の高さを約０．５ｍｍに形成している。
【００３１】
搬入ローラ対２８と平面部５１の間の凸部５２は、その上流側端部が搬入ローラ対２８のニップ位置の近傍まで延びている。これによって、搬入ローラ対２８のニップ位置から原稿の後端がスムーズに抜けるようになっており、搬入ローラ対２８のニップ位置から原稿の後端が抜ける際の衝撃が緩和されて原稿ぶれが低減する。
【００３２】
そして、凸部５２の下流側端部は、原稿搬送方向に除々に突出量が小さくなるように形成されており、その先端は平面部５１に連続するようになだらかに傾斜している。
【００３３】
また、平面部５１と搬出ローラ対２５の間の凸部５３は、その上流側端部が原稿搬送方向に除々に突出量が大きくなるように形成されており、その先端は平面部５１から連続されるようになだらかに傾斜している。つまり、図２に示すように、凸部５２、５３は平面部５１との間に段差がなく、湾曲した経路を形作るようにその突出量を変位させ、原稿がスムーズに搬送するように形成している。特に、平面部５１と搬出ローラ対２５の間の凸部５３は、原稿との接触面積が少なくなるので、原稿を掬い上げる際に原稿の先端が案内面に突き当たって生じる原稿ぶれを緩和することができる。
【００３４】
このように、透明フィルム部材５０の読取位置Ｘの周辺部分を平面とし、その平面部５１の上流側と下流側のそれぞれに原稿が摺接して案内される複数の凸部５２、５３を形成することによって、原稿と原稿案内面との摺接する面積が小さくなり、搬送負荷が低減するとともに、静電気の発生が抑えられる。さらに、摺接する面積が小さいため、原稿の紙紛や印字トナー等の汚物の発生を抑えることができる。また、複数の凸部を形成することで、透明フィルム部材の強度が増し、折れや変形をなくすことができる。
【００３５】
なお、本実施例の凸部５２、５３は、図４（ｂ）に示すようになだらかに隆起した半円弧状に形成されている。これによって、原稿の擦れて原稿に損傷を与えることを防止し、角部がないのでメンテナンスも容易になる。
【００３６】
さらに、本実施例においては、透明フィルム部材５０の原稿案内面側に耐スクラッチコーティングを施している。この耐スクラッチコーティングは、有機シラン等の化合物をコートすることで透明フィルム部材５０の案内面の擦傷性を向上させ、傷等が付きにくくしている。これによって、さらに良好な画像が得られるとともに、透明フィルム部材５０のメンテナンスの頻度を低減することができる。
【００３７】
なお、上記の実施例では、平面部５１の原稿搬送方向前後に形成された凸部５２、５３を、搬送方向に延びる一つの隆起した円弧状の凸部とし、原稿幅方向に所定間隔隔てて複数形成したが、図６に示すように凸部を原稿搬送方向及び原稿幅方向のそれぞれに複数形成してもよい。この図６の第２の実施例では、原稿幅方向の隣り合う凸部７２、７３の端部の一部が互いにオーバーラップするように形成されている。つまり、千鳥状に複数の凸部を形成している。
【００３８】
このように、千鳥状に複数の凸部を形成することで原稿面の特定の箇所だけが凸部に摺接することがないようにすることができる。これによって、原稿に過剰なストレスを与えることなくがなくなり、原稿ダメージを最小限に抑えられる。
【００３９】
そして、透明フィルム部材５０は、原稿搬送方向上流側の一端部に取付孔５０ｄが複数設けられており、この取付孔５０ｄと搬入ガイド１５に固定部として形成された突起５０ａとを係合させることによって透明フィルム部材５０が固定支持される。また、下流側の他端部はすだれ状に複数に分割された舌部５０ｂ、５０ｃが形成されている。そして、すだれ状に分割され隣接する舌部５０ｂ、５０ｃの一方の舌部５０ｂは、搬出ガイド１６の原稿案内面側にフリー状態に延設されている。他方の舌部５０ｃは搬出ガイド１６の背面側に延設されており、その先端に設けられた取付孔５０ｆが後述する張力付与部材５５に支持部として形成された突起５５ａに係合されている。
【００４０】
上記したように取り付けられた透明フィルム部材５０は、搬入ガイド１５の原稿案内面から搬出ガイド１６の原稿案内面に沿って湾曲した搬送経路３５を形成しており、その弾性力によりプラテンローラ２７の周面に圧接されている。
【００４１】
プラテンガラス４と透明フィルム部材５０との間には、透明フィルム部材５０が下方に揺動可能とする所定の空間（０．５ｍｍ〜１．０ｍｍ）が確保される。この空間は、プラテンローラ２７と透明フィルム部材５０の間に進入された原稿に透明フィルム部材５０がプラテンガラス４側に変位するのを許容している。これによって、プラテンローラ２７が固定されていても原稿が原稿搬送経路内をスムーズに通過することができる。
【００４２】
次に、図５に基づき張力付与部材５５について説明すると、張力付与部材５５は透明フィルム部材５０の舌部５０ｃの取付孔５０ｆに係合させることで透明フィルム部材５０を固定支持する突起５５ａと、読取ガイドユニットの骨格の側部に形成されたピンに係合するための軸支孔が形成されたアーム部５５ｂが形成されている。
【００４３】
また、読取ガイドユニット６０の骨格の側部とアーム部５５ｂとの間には、張力付与部材５５を読取ガイドユニットの側部のピボット軸（回転軸）５６ａを支点として原稿搬送方向に回動付勢する捩りコイルバネ５６が取り付けられている。
【００４４】
この捩りコイルバネ５６は、一端が張力付与部材５５のアーム部５５ｂに取付けられ、他端が読取ガイドユニット６０の側部に取り付けられており、張力付与部材５５を回動付勢することにより透明フィルム部材５０に張力を付与する。
【００４５】
ここで、透明フィルム部材５０は、張力が付与されることによって、透明フィルム部材５０に接触するプラテンローラ２７と透明フィルム部材５０の舌部５０ｃに接触する搬出ガイド１６の上流側端部との間のたるみが解消され、プラテンローラ２７と搬出ガイド１６との間を略平行にする。
【００４６】
原稿は、読み取る原稿の厚さが異なっても透明フィルム部材５０が透明フィルム部材５０の弾性力と張力付与部材５５の張力調整機能により透明フィルム部材５０の面がプラテンガラス４側に変位しつつプラテンローラ２７の周面に圧接されている。これにより原稿は、読取位置においてジャムしたりその速度や方向がブレることなく安定して搬送される。
【００４７】
ここで、読取ガイドユニット６０の着脱構成について説明すると、読取ガイドユニット６０の側部には、装置フレームに読取ガイドユニット６０を取り付けるためのカギ状に突出した保持部６３とが形成されており、この保持部６３を装置フレームに形成された凹部に係合させ、読取ガイドユニット６０を保持する。
【００４８】
保持部６３は樹脂で形成されており、押圧力を与えて撓ませることによって、装置フレーム凹部と突出部６３の係合を容易に解除することができる。
【００４９】
さらに、読取ガイドユニット６０の切欠き部６２が形成されており、切欠き部６２は装置フレームに形成されたピンと係合して、読取ガイドユニット６０を回動自在に支持する。
【００５０】
つまり、本実施例では読取ガイドユニット６０の保持部６３を撓ませて保持を解除し、装置フレームのピンを支点に回動させた後、切欠き部６２に沿って読取ガイドユニット６０を下方に引くことにより装置フレームから読取ガイドユニット６０を取り外す。
【００５１】
ここでは、搬入ガイド１５、搬出ガイド１６、透明フィルム部材５０及び後述する張力付与部材５５を一体の読取ガイドユニット６０を構成し、この読取ガイドユニット６０は装置フレームに対して着脱可能に取り付けられるように構成したので、透明フィルム部材に損傷を与えることなく、透明フィルム部材及び白ガイドの交換及びクリーニング等のメンテナンス作業を短時間に容易且つ確実に行うことができる。また、読取ガイドユニット６０を所定角度回動させた状態で、汚れの拭き取りなどのメンテナンスを行うこともできる。
【００５２】
なお、上記実施例では、搬入ローラ対２８と搬出ローラ対２５とによって原稿を搬送し、読取部２０を通過させるようにしたが、原稿の読取位置に対向した位置に大径のローラを配置し、この大径のローラの読取位置の上流側と下流側に圧接するピンチローラをそれぞれ設けて原稿を搬送するように構成してもよい。
【００５３】
上述したように本実施の形態においては、原稿を読み取るための読取経路を、原稿を案内するガイド部材と、読取手段とガイド部材との間に配置された透明な案内部材と、で構成し、読取部の搬入側に設けられた第１の搬送手段から読取位置に至る区間と読取位置から読取部の搬出側に設けられた第２の搬送手段に至る区間の、少なくとも一方の区間に原稿搬送方向に延びる凸部を形成したので、透明フィルム部材による静電気の発生をなくすとともに原稿の読取面側が接触して原稿を案内する透明な案内部材に付着する汚物の発生を防止し、画像の低下や搬送異常をなくすことができる。
【００５４】
【図面の簡単な説明】
【図１】本発明に係る、画像読取装置及び自動原稿送り装置の全体構成を示す断面図である。
【図２】自動原稿送り装置の読取部を示す断面図である。
【図３】読取ガイドユニットの構成を示す斜視図を示す。
【図４】透明フィルム部材を示す平面図、及びＡ断面図である。
【図５】張力付与機構を示す断面図である。
【図６】他の実施例を示す透明フィルム部材の平面図である。
【符号の説明】
１　画像読取装置
２　自動原稿送り装置
１５　搬入ガイド
１６　搬出ガイド
２０　読取部
２５　搬出ローラ（第２の搬送手段）
２７　プラテンローラ
２８　搬入ローラ対（第１の搬送手段）
３５　搬送経路（読取経路）
４５　バックアップガイド（ガイド部材）
４６　白色フィルム部材
４７　白色フィルム部材
５０　透明フィルム部材（案内部材）
５１　平面部
５２　凸部
５３　凸部
６０　読取ガイドユニット
【図１】
2004099306.tif 000003
【図２】
2004099306.tif 000004
【図３】
2004099306.tif 000005
【図４】
2004099306.tif 000006
【図５】
2004099306.tif 000007
【図６】
2004099306.tif 000008